(57)【要約】【課題】加熱調理器において、加熱調理庫の開口端縁を内扉で押圧封止するためのパッキンの形状として、加熱調理器運転に伴う材料の劣化が生じにくいパッキンを提供する。【解決手段】加熱調理庫の開口端縁と扉との間に設けられるパッキン３０の断面形状を、加熱調理庫開口端縁に取り付けるための基部３３と、基部の加熱調理庫内側空間に面する前端部から加熱調理庫外側空間の前方へ徐々に曲がりながら弧状に延びる傾斜面３１と、基部の加熱調理庫外側空間に面する前端部から途中にＵ字形の折れ曲がり部３２ａを介在して加熱調理庫外側空間の前方に延びる屈曲面３２とを連結して、閉じた図形とし、中空部３５を形成する。【選択図】図４
2014156994.tif 000002
【特許請求の範囲】
【請求項１】
加熱調理庫の開口部を扉で押圧封止した状態で加熱調理を行う加熱調理器において、加熱調理庫の開口端縁と扉との間に設けられるパッキンの断面形状を、加熱調理庫開口端縁に取り付けるための基部を成す第一の部分と、前記第一の部分の加熱調理庫内側空間に面する前端部から加熱調理庫外側空間の前方へ徐々に曲がりながら弧状に延びる第二の部分と、前記第一の部分の加熱調理庫外側空間に面する前端部から途中にＵ字形の折れ曲がり部を介在して加熱調理庫外側空間の前方に延びる第三の部分とを連結して、閉じた中空の図形とした
ことを特徴とする加熱調理器。
【請求項２】
請求項１に記載の加熱調理器において、前記第三の部分が前記Ｕ字形の折れ曲がり部の前後両側に直線部を形成してなる
ことを特徴とする加熱調理器。
【請求項３】
請求項１に記載の加熱調理器において、前記第三の部分の前記Ｕ字形の折れ曲がり部のＵ字形が、前記第一の部分に近い方の側でより深く、前記第一の部分に遠い方の側でより浅い形状を呈する
ことを特徴とする加熱調理器。
【発明の詳細な説明】
【技術分野】
【０００１】
この発明は、スチーム対流式オーブンなどの加熱調理器に関し、特に、扉を閉めた状態のとき加熱調理庫と扉の間の密閉を保持するために、扉の内側面に当接する加熱調理庫の開口端縁に沿って設けられたパッキンに関し、長期の繰返し使用に対して疲労・劣化しにくいようにパッキンの断面形状を工夫したものである。
【背景技術】
【０００２】
加熱調理器は、食材を加熱調理するための装置であり、前面に開閉扉を有するハウジングの中に食材加熱用の加熱調理庫を備えて構成されており、それに加えて加熱用の電気ヒータ、送風ファン、制御回路などを備えており、さらに、スチーム対流式オーブンの場合は、蒸気加熱用の蒸気発生装置を備えて構成されている。一般に、前面の開閉扉は、ハウジングの一部を形成する外扉の内側にさらに耐熱ガラス製の内扉を有する二重構造になっており、この内扉で加熱調理庫の手前側の開口端縁を封止した状態で加熱調理を行う仕組みになっている。加熱調理庫の開口端縁の内扉に面する箇所には、開口端縁に沿ってパッキンが設けられていて、調理中はパッキンに内扉が押し当てられて加熱調理庫を密封状態にする。
【０００３】
図１は、加熱調理器１０の一例を図解する斜視図であり、ハウジング１１の前面の開閉扉１３が右方に開かれた状態を示している。加熱調理庫１２は、手前側に開口した直方体状の収納室を形成しており、開口端縁１２ａの周囲に沿ってパッキン２０が設けられている。他方、開閉扉１３は、ハウジング１１の一部を形成する外扉１３ａの内側に耐熱ガラス製の内扉１３ｂを有しており、開閉扉１３を閉めた状態では、内扉１３ｂがパッキン２０に押し当てられて、加熱調理庫１２の庫内空間を密封し、熱風や蒸気の漏れを防いでいる。運転中は、庫内の温度は高温になり、加熱調理時に３００℃に達する場合もある。
【０００４】
図２は、従来の加熱調理器において、加熱調理庫開口部の上側の端縁１２ａに沿って設けられたパッキン２０の断面を、内扉によって押圧されていない状態で示し、パッキン２０は、内扉に当接する側（図示では、右側）の部分が中空で薄肉の扇形状を呈していて、庫外側の空間ＯＵＴに面している側（図示では、上側）２１は、前方（図示では、右方）に行くに従って庫内側の空間ＩＮのある側（図示では、下側）に向かって徐々に曲がりながら傾斜した面になっており、庫内側の空間ＩＮに面している側（図示では、下側）２２は、前方に向かってほぼ直線的に延びた面になっている。パッキン２０の加熱調理庫端縁取付け側の部分２３は、加熱調理庫開口端縁１２ａのパッキン取付溝１２ｂへの嵌込み時の変形吸収のための中空部を有する肉厚の長方形状を呈している。二点鎖線Ｙ−Ｙは、開閉扉１３を閉めた場合に内扉１３ｂの内側面が来る位置を示す。
【０００５】
図３は、開閉扉１３を閉めた場合に、図２のパッキン２０が内扉１３ｂによって押圧された状態を示し、パッキン２０の庫内側の空間ＩＮに面している側（図示では、下側）２２が、ジグザグに折れ曲げられている。この部分は、庫内の高温の空間ＩＮに通じているので、高温下での圧縮歪みにより材質の劣化やひび割れが生じやすい。
【発明の概要】
【発明が解決しようとする課題】
【０００６】
この発明は、上記のような不具合を解消することを目的とし、加熱調理器において、加熱調理庫の開口端縁を内扉で押圧封止するためのパッキンの形状を改良することによって、加熱調理器運転に伴う材料の劣化が生じにくいパッキンを提供することを目的とする。
【課題を解決するための手段】
【０００７】
上記の課題を解決するために、この発明による加熱調理器は、加熱調理庫の開口部を扉で押圧封止した状態で加熱調理を行うべく加熱調理庫の開口端縁と扉との間に設けられるパッキンの断面形状を、加熱調理庫開口端縁に取り付けるための基部を成す第一の部分と、第一の部分の加熱調理庫内側空間に面する前端部から加熱調理庫外側空間の前方へ徐々に曲がりながら弧状に延びる第二の部分と、第一の部分の加熱調理庫外側空間に面する前端部から途中にＵ字形の折れ曲がり部を介在して加熱調理庫外側空間の前方に延びる第三の部分とを連結して、閉じた中空の図形としたことを特徴とする。
【０００８】
この発明に加熱調理器では、前記第三の部分をＵ字形の折れ曲がり部の前後両側に直線部が形成された形状とすることができる。
【０００９】
この発明に加熱調理器では、前記第三の部分のＵ字形の折れ曲がり部のＵ字形を、第一の部分に近い方の側でより深く、第一の部分に遠い方の側でより浅い形状とすることができる。
【発明の効果】
【００１０】
この発明によれば、加熱調理器において、加熱調理庫の開口端縁と扉との間に設けられるパッキンの断面形状を、加熱調理庫の内側空間に面する側では前方に向かって外側に向かって徐々に曲がる弧状とし、加熱調理庫の外側空間に面する側では途中にＵ字形の折れ曲がり部を介在させて前方に延ばして、連結して閉じた中空の図形としたので、中空部の変形によるパッキンとしての順応封止性に優れているとともに、高熱側では弧状面の単純な屈曲によりパッキンの部材自体に異常な変形力が作用せず、常温側では前後方向の押圧変形をＵ字形の折れ曲がり部が吸収することによりパッキンの部材自体に異常な変形力が作用せず、長期の使用に対してもパッキンの劣化が生じにくい。
【図面の簡単な説明】
【００１１】
【図１】加熱調理器の一例を示す斜視図である。
【図２】従来の加熱調理器における、パッキンを図解する断面図である。
【図３】従来の加熱調理器における、パッキンの作用状態を図解する断面図である。
【図４】この発明による加熱調理器におけるパッキンの第一の実施形態を図解する断面図である。
【図５】この発明による加熱調理器におけるパッキンの第一の実施形態の作用状態を図解する断面図である。
【図６】この発明による加熱調理器におけるパッキンの第二の実施形態を図解する断面図である。
【図７】この発明による加熱調理器の実施形態における芯温センサ保持部を設けたラックフレームの斜視図である。
【発明を実施するための形態】
【００１２】
以下に、この発明による加熱調理器を、図面を参照しながら説明する。この発明による加熱調理器は、この発明による改良点以外は、一般の加熱調理器と同様であるので、図１を参照してまず概要を説明する。加熱調理器１０のハウジング１１は、前面（使用者から見て手前側）に開閉扉１３が設けられており、開閉扉１３は、ハウジング１１の一部を形成する外扉１３ａと、その内側に設けられた耐熱ガラス製の内扉１３ｂとの二重扉構造になっている。ハウジング１１の内部には、直方体容器状の加熱調理庫１２が手前側に開口して設けられており、この中に調理すべき食材を入れて加熱する。加熱調理庫１２の開口端縁１２ａには、その周囲に沿ってパッキン３０が設けられている。開閉扉１３を閉めた状態では、内扉１３ｂがパッキン３０に押し当てられて、加熱調理庫１２の庫内空間を密封し、熱風や蒸気の漏れを防ぐ。
【００１３】
この発明による加熱調理器では、当該パッキンの構造に特徴があるので、以下パッキンの構造について図面を参照しながら説明する。
【００１４】
図４は、この発明による加熱調理器におけるパッキンの第一の実施形態を図解する断面図である。この実施形態において、加熱調理庫開口部の上側の端縁１２ａに沿って設けられたパッキン３０は、加熱調理庫端縁取付け側の部分は、加熱調理庫開口端縁１２ａのパッキン取付溝１２ｂへ嵌め込むために肉厚のほぼ長方形の形状を呈する基部３３を成し、嵌込み時の変形吸収のための中空部３３ａおよび逃げ部３３ｂを有している。パッキン３０の内扉に当接する側（図示では、右側）の部分は、内扉１３ｂによって押圧されていない状態では、中空で薄肉の概略扇形状を呈していて、庫内側の空間ＩＮに面している側（図示では、下側）は、基部３３の加熱調理庫内側空間に面する前端部から加熱調理庫外側空間ＯＵＴの前方（図示では、右方）に向かって徐々に曲がりながら弧状に延びる傾斜面部３１になっており、庫外側の空間ＯＵＴに面している側（図示では、上側）は、基部３３の加熱調理庫外側空間に面する前端部から途中にＵ字形の折れ曲がり部３２ａを介して加熱調理庫外側空間ＯＵＴの前方（図示では、右方）に延びる屈曲面３２になっている。基部３３、傾斜面３１および屈曲面３２は、互いに連結して内部に中空部３５を有する閉じた図形を形成して、パッキンとしての適度のクッション性を持たせてある。なお、二点鎖線Ｙ−Ｙは、開閉扉１３を閉めた場合に内扉１３ｂの内側面が来る位置を示す。
【００１５】
図５は、開閉扉１３を閉めた場合に、図４のパッキン３０が内扉１３ｂによって押圧された状態を示し、パッキン３０の庫内側の空間ＩＮに面している側（図示では、下側）の傾斜面部３１は、弧状面が単純に屈曲し、パッキン部材自体に無理な変形が生じない。また、パッキン３０の庫外側の空間ＯＵＴに面している側（図示では、上側）の屈曲面３２は、Ｕ字形部分で屈曲変形して前後方向（図では、左右方向）の押圧力が吸収され、パッキン部材自体に無理な変形が生じない。なお、図４、５から分かるように、Ｕ字形の折れ曲がり部３２ａの前後両側に所定寸法の直線部を形成してあると、Ｕ字形部分が折れ曲がった場合に、パッキン３０の中空部３５の内壁にぶつからないための余裕があるので、材料の劣化を招かない変形の余裕が取れる。
【００１６】
図６は、この発明による加熱調理器におけるパッキンの第二の実施形態を図解する断面図である。この実施形態では、パッキン３０の庫外側の空間ＯＵＴに面している側のＵ字形の折れ曲がり部３２ａのＵ字形が、基部３３に近い側の脚部３２ａ１と基部３３から遠い側の脚部３２ａ２とで深さが異なっており、脚部３２ａ２を脚部３２ａ１よりも浅い形状としてある。このようにすると、Ｕ字形の内部がより開かれた状態になるので、掃除がし易くなり、また、扉の開閉に対して空間的な余裕がより大きく取れるという利便もある。
【００１７】
次に、この発明の実施形態におけるさらなる工夫について説明する。この種の加熱調理器では、被加熱食材の芯温（厚みのある食材の内部の温度）を測定する必要のある場合が多い。そのため、この種の加熱調理器には、芯温センサが付属していて、調理の進行程度を確認しながら調理を進めるられるように用意されている場合が多い。芯温センサは、測定に使用しない間は邪魔にならない所に保持しておくのが望ましい。図７は、不使用時に芯温センサを保持しておくためのホルダー部を設けた実施形態を図解するものである。この種の加熱調理器１０の加熱調理庫１２の庫内には、図１に見られるように、左右壁面近傍にラックフレームが設けられており（図１では、右側壁面近傍のラックフレーム５０が見えている）、このラックフレーム５０のレールの所望箇所に被加熱食材を載せたトレイを配置する。図７は、右側のラックフレーム５０を右前方から見た図解で、２本の垂直の支柱５１に５段のトレイ保持レールが溶接されている。前方の支柱５１の下方には、支柱５１の後側板金折り曲げ面に芯温センサ４０の温度検知部４１を挿入する孔５１ａが穿設されており、支柱５１の前側板金折り曲げ面に芯温センサ４０の取っ手部４２を受けるための切欠き５１ｂが、孔５１ａの位置より僅かに高い位置に設けられている。切欠き５１ｂの下辺は、取っ手部４２が安定して載せられるように、僅かにしたに凹ませてある。これらにより、芯温センサ４０を、不使用時には、僅かに斜めに差し込んで載置しておくことができる。この場合、芯温センサ４０の温度検知部４１を挿入する孔５１は、単純な丸孔でもよいが、図示のようなダルマ孔の方が挿入しやすさおよび保持の安定性の両面で好都合である。また、切欠き５１ｂは、図示のような右方に開放した形状に限らず、周囲の閉じた大きめの孔とすることもできる。
【００１８】
以上説明したように、この発明の加熱調理器の実施形態では、加熱調理庫の開口端縁を内扉で封止する箇所のパッキンの断面形状を、加熱調理庫開口端縁に取り付けるための基部を成す第一の部分と、第一の部分の加熱調理庫内側空間に面する前端部から加熱調理庫外側空間の前方へ徐々に曲がりながら弧状に延びる第二の部分と、第一の部分の加熱調理庫外側空間に面する前端部から途中にＵ字形の折れ曲がり部を介在して加熱調理庫外側空間の前方に延びる第三の部分とを連結して、閉じた中空の図形としたので、中空部の変形によるパッキンとしての順応封止性に優れているとともに、高熱側では弧状面の単純な屈曲によりパッキンの部材自体に異常な変形力が作用せず、常温側では前後方向の押圧変形をＵ字形の折れ曲がり部が吸収することによりパッキンの部材自体に異常な変形力が作用せず、長期の使用に対してもパッキンの劣化が生じにくい。
【符号の説明】
【００１９】
１０…加熱調理器、１１…ハウジング、１２…加熱調理庫、１２ａ…開口端縁、１２ｂ…パッキン取付溝、１３…開閉扉、１３ａ…外扉、１３ｂ…内扉、３０…パッキン、３１…傾斜面、３２…屈曲面、３２ａ…Ｕ字形の折れ曲がり部、３３…基部、３５…中空部。
【図１】
2014156994.tif 000003
【図２】
2014156994.tif 000004
【図３】
2014156994.tif 000005
【図４】
2014156994.tif 000006
【図５】
2014156994.tif 000007
【図６】
2014156994.tif 000008
【図７】
2014156994.tif 000009